(57)【要約】情報処理システムは、ディスプレイ・モニタと、テキスト入力のためのユーザ・インタフェースとを有する。ディスプレイ・モニタは、３つの平行な水平方向の行又は３つの平行な垂直方向の列の空間的構成で英数字文字のセットを提示する。ユーザ・インタフェースの方向ボタンの「左」ボタン及び「右」ボタンが、英数字文字のグループの選択を制御し、３つの平行な配列の各々の１文字が、同一の列内に配置される。方向ボタンの「上」ボタン及び「下」ボタン、並びにそれらの間に位置する「ＯＫ」ボタンを使用して、選択されたグループから、英数字文字群のうち特定の英数字文字を選択する。
2015518225.tif 000002
【特許請求の範囲】
【請求項１】
ディスプレイ・モニタとユーザ・インタフェースとを有する情報処理システムであって、前記ユーザ・インタフェースは、ユーザが当該情報処理システムとインタラクトすることを可能にし、
前記ユーザ・インタフェースは、当該情報処理システムの第１の動作モードにおいて、
前記ディスプレイ・モニタに対して実質的に第１の方向に前記ディスプレイ・モニタのスクリーン上でカーソルを動かすこと、及び
実質的に前記第１の方向にスクロールさせること
のうちの１つを前記ユーザが制御することを可能にする第１のコントロール・インプットを含み、
前記ユーザ・インタフェースは、当該情報処理システムの前記第１の動作モードにおいて、
前記ディスプレイ・モニタに対して前記第１の方向とは異なる実質的に第２の方向に前記スクリーン上で前記カーソルを動かすこと、及び
実質的に前記第２の方向にスクロールさせること
のうちの１つを前記ユーザが制御することを可能にする第２のコントロール・インプットを含み、
当該情報処理システムは、前記ユーザが前記ユーザ・インタフェースとのインタラクションを介して英数字の文字列を当該情報処理システムに入力することを可能にする第２の動作モードを有し、
前記第２の動作モードにおいて、当該情報処理システムは、複数の選択可能な英数字文字を空間的構成で提示する前記ディスプレイ・モニタを制御するよう構成されており、前記空間的構成は、前記複数の選択可能な英数字文字のうちの第１の英数字文字群の第１の配列と、前記複数の選択可能な英数字文字のうちの第２の英数字文字群の第２の配列とを含み、
前記ディスプレイ・モニタは、前記第１の配列及び前記第２の配列を、前記第１の方向及び前記第２の方向のうち実質的に同一の特定の方向に平行に延びるものとして提示するよう動作可能であり、
当該情報処理システムは、さらに、前記第２の動作モードにおいて、
前記ユーザが、前記第１の英数字文字群のうちの特定の第１の英数字文字と前記第２の英数字文字群のうちの特定の第２の英数字文字との特定の組合せを選択することを可能にし、ここで、前記選択は、前記第１のコントロール・インプット及び前記第２のコントロール・インプットの一方を用いて、前記空間的構成における前記特定の組合せに対応する特定の位置にしるしを配置することにより実現され、
前記ユーザが、前記第１のコントロール・インプット及び前記第２のコントロール・インプットのうちの他方を用いて、前記特定の第１の英数字文字と前記特定の第２の英数字文字とのうち特定の英数字文字を選択することを可能にするよう
構成されている、情報処理システム。
【請求項２】
前記第１のコントロール・インプットは、
前記カーソルを前記第１の方向の第１の向きに動かす第１のスイッチと、前記カーソルを前記第１の方向の前記第１の向きとは反対の第２の向きに動かす第２のスイッチとを含む第１のセット、
時計回りの回転又は反時計回りの回転に応じてそれぞれ前記第１の向き又は前記第２の向きにスクロールさせる第１のスクロール・ホイール、及び
第１のタッチパッド
のうちの少なくとも１つを含み、
前記第２のコントロール・インプットは、
前記カーソルを前記第２の方向の第３の向きに動かす第３のスイッチと、前記カーソルを前記第２の方向の前記第３の向きとは反対の第４の向きに動かす第４のスイッチとを含む第２のセット、
時計回りの回転又は反時計回りの回転に応じてそれぞれ前記第３の向き又は前記第４の向きにスクロールさせる第２のスクロール・ホイール、及び
第２のタッチパッド
のうちの少なくとも１つを含む、請求項１記載の情報処理システム。
【請求項３】
前記ユーザ・インタフェースは、第３のコントロール・インプットを含み、前記第３のコントロール・インプットは、当該情報処理システムの前記第１の動作モードにおいて、メニュー・オプションに前記カーソルを配置させた後の前記ユーザによる前記メニュー・オプションの選択を確認するよう構成され、
前記第３のコントロール・インプットは、前記ユーザ・インタフェースにおいて、少なくとも、前記第１のスイッチと前記第２のスイッチとの間、又は前記第３のスイッチと前記第４のスイッチとの間に配置され、
前記空間的構成は、前記複数の選択可能な英数字文字のうちの第３の英数字文字群の第３の配列を含み、
前記第３の配列は、前記第１の方向及び前記第２の方向のうちの前記同一の特定の方向に実質的に延び、
前記第３の配列は、前記第１の配列と前記第２の配列との間に配置され、
前記第２の動作モードにおいて、当該情報処理システムは、前記ユーザが、前記第３のコントロール・インプットを介して、前記特定の第１の英数字文字と前記特定の第２の英数字文字との間に配置されている、前記第３の英数字文字群のうちの特定の英数字文字を選択することを可能にするよう構成されている、請求項２記載の情報処理システム。
【請求項４】
情報処理システムのデータ処理サブ・システムを構成する制御ソフトウェアであって、
前記情報処理システムは、ディスプレイ・モニタとユーザ・インタフェースとを有し、前記ユーザ・インタフェースは、ユーザが前記情報処理システムとインタラクトすることを可能にし、
前記データ処理サブ・システムは、前記ディスプレイ・モニタとインタフェースをとる第１のインタフェースと、前記ユーザ・インタフェースとインタフェースをとる第２のインタフェースとを有し、
前記ユーザ・インタフェースは、前記情報処理システムの第１の動作モードにおいて、
前記ディスプレイ・モニタに対して実質的に第１の方向に前記ディスプレイ・モニタのスクリーン上でカーソルを動かすこと、及び
実質的に前記第１の方向にスクロールさせること
のうちの１つを前記ユーザが制御することを可能にする第１のコントロール・インプットを含み、
前記ユーザ・インタフェースは、前記情報処理システムの前記第１の動作モードにおいて、
前記ディスプレイ・モニタに対して前記第１の方向とは異なる実質的に第２の方向に前記スクリーン上で前記カーソルを動かすこと、及び
実質的に前記第２の方向にスクロールさせること
のうちの１つを前記ユーザが制御することを可能にする第２のコントロール・インプットを含み、
当該制御ソフトウェアは、前記ユーザが前記ユーザ・インタフェースとのインタラクションを介して英数字の文字列を前記情報処理システムに入力することを可能にする第２の動作モードにおいて動作させるための前記情報処理システムを構成する第１の命令を含み、
前記第１の命令は、複数の選択可能な英数字文字を空間的構成で提示する前記ディスプレイ・モニタを制御する第２の命令を含み、前記空間的構成は、前記複数の選択可能な英数字文字のうちの第１の英数字文字群の第１の配列と、前記複数の選択可能な英数字文字のうちの第２の英数字文字群の第２の配列とを含み、
前記第１の配列及び前記第２の配列は、前記第１の方向及び前記第２の方向のうち実質的に同一の特定の方向に平行に延びるものとして提示され、
前記第１の命令は、前記第１の英数字文字群のうちの特定の第１の英数字文字と前記第２の英数字文字群のうちの特定の第２の英数字文字との特定の組合せを選択する第３の命令を含み、前記選択は、前記ユーザが前記第１のコントロール・インプット及び前記第２のコントロール・インプットの一方とインタラクトしたことに応じて、前記空間的構成における前記特定の組合せに対応する特定の位置にしるしを配置することにより実現され、
前記第１の命令は、前記ユーザが前記第１のコントロール・インプット及び前記第２のコントロール・インプットの他方とインタラクトしたことに応じて、前記特定の第１の英数字文字と前記特定の第２の英数字文字とのうち特定の英数字文字を選択する第４の命令を含む、制御ソフトウェア。
【請求項５】
前記ユーザ・インタフェースは、第３のコントロール・インプットを含み、前記第３のコントロール・インプットは、前記情報処理システムの前記第１の動作モードにおいて、メニュー・オプションに前記カーソルを配置させた後の前記ユーザによる前記メニュー・オプションの選択を確認するよう構成され、
前記第３のコントロール・インプットは、前記ユーザ・インタフェースにおいて、少なくとも、第１のスイッチと第２のスイッチとの間、又は第３のスイッチと第４のスイッチとの間に配置され、
前記空間的構成は、前記複数の選択可能な英数字文字のうちの第３の英数字文字群の第３の配列を含み、
前記第３の配列は、前記第１の方向及び前記第２の方向のうちの前記同一の特定の方向に実質的に延び、
前記第３の配列は、前記第１の配列と前記第２の配列との間に配置され、
前記第１の命令は、前記ユーザが前記第３のコントロール・インプットとインタラクトしたことに応じて、前記特定の第１の英数字文字と前記特定の第２の英数字文字との間に配置されている、前記第３の英数字文字群のうちの特定の英数字文字を選択する第５の命令を含む、請求項４記載の制御ソフトウェア。
【請求項６】
ディスプレイ・モニタと、前記ディスプレイ・モニタの制御のためのデータ処理サブ・システムとを有する情報処理システムにおいて使用されるインタフェースであって、
当該インタフェースは、ユーザ・インタフェースを前記データ処理サブ・システムと相互接続するよう構成され、
前記ユーザ・インタフェースは、前記情報処理システムの第１の動作モードにおいて、
前記ディスプレイ・モニタに対して実質的に第１の方向に前記ディスプレイ・モニタのスクリーン上でカーソルを動かすこと、及び
実質的に前記第１の方向にスクロールさせること
のうちの１つをユーザが制御することを可能にする第１のコントロール・インプットを含み、
前記ユーザ・インタフェースは、前記情報処理システムの前記第１の動作モードにおいて、
前記ディスプレイ・モニタに対して前記第１の方向とは異なる実質的に第２の方向に前記スクリーン上で前記カーソルを動かすこと、及び
実質的に前記第２の方向にスクロールさせること
のうちの１つを前記ユーザが制御することを可能にする第２のコントロール・インプットを含み、
当該インタフェースは、前記ユーザが前記ユーザ・インタフェースとのインタラクションを介して英数字の文字列を前記情報処理システムに入力することを可能にするよう構成され、
当該インタフェースは、複数の選択可能な英数字文字を空間的構成で提示する前記ディスプレイ・モニタを制御するよう構成されており、前記空間的構成は、前記複数の選択可能な英数字文字のうちの第１の英数字文字群の第１の配列と、前記複数の選択可能な英数字文字のうちの第２の英数字文字群の第２の配列とを含み、
前記ディスプレイ・モニタは、前記第１の配列及び前記第２の配列を、前記第１の方向及び前記第２の方向のうち実質的に同一の特定の方向に平行に延びるものとして提示するよう動作可能であり、
当該インタフェースは、
前記第１の英数字文字群のうちの特定の第１の英数字文字と前記第２の英数字文字群のうちの特定の第２の英数字文字との特定の組合せを選択し、ここで、前記選択は、前記ユーザが前記第１のコントロール・インプット及び前記第２のコントロール・インプットの一方とインタラクトしたことに応じて、前記空間的構成における前記特定の組合せに対応する特定の位置にしるしを配置することにより実現され
前記ユーザが前記第１のコントロール・インプット及び前記第２のコントロール・インプットの他方とインタラクトしたことに応じて、前記特定の第１の英数字文字と前記特定の第２の英数字文字とのうち特定の英数字文字を選択するよう
構成されている、インタフェース。
【請求項７】
前記ユーザ・インタフェースは、第３のコントロール・インプットを含み、前記第３のコントロール・インプットは、前記情報処理システムの前記第１の動作モードにおいて、メニュー・オプションに前記カーソルを配置させた後の前記ユーザによる前記メニュー・オプションの選択を確認するよう構成され、
前記第３のコントロール・インプットは、前記ユーザ・インタフェースにおいて、少なくとも、第１のスイッチと第２のスイッチとの間、又は第３のスイッチと第４のスイッチとの間に配置され、
前記空間的構成は、前記複数の選択可能な英数字文字のうちの第３の英数字文字群の第３の配列を含み、
前記第３の配列は、前記第１の方向及び前記第２の方向のうちの前記同一の特定の方向に実質的に延び、
前記第３の配列は、前記第１の配列と前記第２の配列との間に配置され、
当該インタフェースは、前記ユーザが前記第３のコントロール・インプットとインタラクトしたことに応じて、前記特定の第１の英数字文字と前記特定の第２の英数字文字との間に配置されている、前記第３の英数字文字群のうちの特定の英数字文字を選択するよう構成されている、請求項６記載のインタフェース。
【発明の詳細な説明】
【技術分野】
【０００１】
本発明は、ディスプレイ・モニタと、英数字の文字列を情報処理システムに入力するための、ユーザが情報処理システムの特定の動作モードにおいて情報処理システムとインタラクトすることを可能にするユーザ・インタフェースとを有する情報処理システムに関する。本発明は、さらに、そのような情報処理システムにおいて使用される、ユーザ・インタフェースと情報処理システムのデータ処理サブ・システムを相互接続するよう構成されたインタフェースと、ユーザが英数字の文字列を情報処理システムに入力することを可能にするための、情報処理システムを構成する制御ソフトウェアとに関する。
【背景技術】
【０００２】
参照により本明細書に組み込まれる米国特許出願公開第２０１２／００３８５５６号明細書は、英数字テキストの入力を提供する装置、方法、及びユーザ・インタフェースを開示している。一形態において、ユーザ・インタフェース内で選択可能な文字を提供する方法は、通信デバイスの動作モードを判定するステップと、選択された入力キーに関連付けられた入力を受信するステップとを含む。この方法は、動作モードに基づいて、選択されたキーに関連付けられた文字のグループを判定し、ユーザ・インタフェース内に文字のグループを表示する。ユーザ・インタフェースは、ユーザ・インタフェースの第１の部分内に文字のグループのうちの第１の文字を表示することができ、ユーザ・インタフェースの第２の部分内に第１の文字の近くにある文字のグループを表示することができる。米国特許出願公開第２０１２／００３８５５６号明細書は、選択可能な文字のグループの周りで実質的に中央に置かれ得るカーソルを提供することを記載している。ユーザ・インタフェース内での英数字テキストの見易さを向上させるために、文字のグループは、セグメント化されて表示され得る。ユーザ・インタフェースは、選択されたキーに基づいて、文字のグループを表示することができ、さらに、文字のグループ内のハイライトされた文字に関連するように配置されたバブル・ヘルプ・カーソル（bubble  help  cursor）を表示することができる。バブル・ヘルプ・カーソルは、ハイライトされた文字を含み、ユーザは、文字のグループ内の次の文字又は前の文字を表示するバブル・ヘルプ・カーソルを用いて、文字のグループをスクロールさせることができる。
【発明の概要】
【発明が解決しようとする課題】
【０００３】
米国特許出願公開第２０１２／００３８５５６号明細書に開示された英数字テキストの入力を提供するユーザ・インタフェースは、１２個のキー又はボタンを有し、それらのキーの各特定の１つは、テキスト文字の特定のグループとの固定された関係を有する。１２個のキーの各特定の１つは、その特定のキーが関連する文字の特定のグループをリストする特定のラベルを有する。
【０００４】
この既知の手法の欠点は、キーの数が選択可能なテキスト文字のセットにより決定されることである。別の欠点は、各ラベルのサイズがキーの大きさにより決定されることである。ラベルのサイズは、ラベルに入れることができる文字の最大数を決定する。というのは、文字は、ユーザが選択するために、読みやすさを保つべきであるからである。さらに別の欠点は、米国特許出願公開第２０１２／００３８５５６号明細書において取られた手法は、消費家電（ＣＥ：consumer  electronics）機器を制御するリモート・コントロール・デバイス等のハンドヘルド電子デバイス又はスマートフォンのユーザ・インタフェースに容易に適用することができないことである。
【課題を解決するための手段】
【０００５】
したがって、発明者らは、ディスプレイ・モニタ及びユーザ・インタフェースを有する情報処理システムを提案する。ユーザ・インタフェースは、ユーザが情報処理システムとインタラクトすることを可能にするよう構成されている。ユーザ・インタフェースは、情報処理システムの第１の動作モードにおいて、１）ディスプレイ・モニタに対して実質的に第１の方向にディスプレイ・モニタのスクリーン上でカーソルを動かすこと、及び、２）実質的に第１の方向にスクロールさせることのうちの１つをユーザが制御することを可能にする第１のコントロール・インプットを含む。ユーザ・インタフェースは、情報処理システムの第１の動作モードにおいて、３）ディスプレイ・モニタに対して第１の方向とは異なる実質的に第２の方向にスクリーン上でカーソルを動かすこと、及び、４）実質的に第２の方向にスクロールさせることのうちの１つをユーザが制御することを可能にする、第１のコントロール・インプットとは異なる第２のコントロール・インプットを含む。情報処理システムは、ユーザがユーザ・インタフェースとのインタラクションを介して英数字の文字列を情報処理システムに入力することを可能にする第２の動作モードを有する。第２の動作モードにおいて、情報処理システムは、複数の選択可能な英数字文字を提示するディスプレイ・モニタを制御するよう構成されている。英数字文字は、例えば、小文字、大文字、又はそれら両方のアルファベットの文字、句読点、及び自然数０，１，．．，８，９を含む。ディスプレイ・モニタは、複数の選択可能な英数字文字を空間的構成で提示する。空間的構成は、複数の選択可能な英数字文字のうちの第１の英数字文字群の第１の配列と、複数の選択可能な英数字文字のうちの第２の英数字文字群の第２の配列とを含む。ディスプレイ・モニタは、第１の配列及び第２の配列を第１の方向及び第２の方向のうち実質的に同一の特定の方向に平行に延びるものとして提示するよう動作可能である。第２の動作モードにおいて、情報処理システムはまた、ユーザが、第１の英数字文字群のうちの特定の第１の英数字文字と第２の英数字文字群のうちの特定の第２の英数字文字との特定の組合せを選択することを可能にするよう構成されている。選択は、第１のコントロール・インプット及び第２のコントロール・インプットの一方を用いることにより、ユーザが空間的構成における特定の組合せに対応する特定の位置にしるし（例えば、ハイライト、半透明のオーバレイ、又は別のマーク）を配置することにより、実現される。第２の動作モードにおいて、情報処理システムはまた、ユーザが、第１のコントロール・インプット及び第２のコントロール・インプットの他方を用いることにより、特定の第１の英数字文字と特定の第２の英数字文字とのうち特定の英数字文字を選択することを可能にするよう構成されている。
【０００６】
第２の動作モードで動作する情報処理システムにおいて、ディスプレイ・モニタは、同一方向に（例えば、水平方向又は垂直方向に）平行に実質的に延びる少なくとも第１の配列及び第２の配列を用いる特定の空間的構成で英数字文字群を提示する。第１のコントロール・インプットは、英数字文字の組合せを選択するために、空間的構成に沿ってしるしを配置するために使用され、第２のコントロール・インプットは、選択された組合せ内の英数字文字群のうち特定の英数字文字を選択するために使用される。英数字文字群は、情報処理システムの第２の動作モードにおいて、ディスプレイ・モニタ上に表示されているので、第１のコントロール・インプット及び第２のコントロール・インプットの各々は、ソフトウェア制御の下、便利に構成され得、ユーザ・インタフェースの能力が与えられると、それぞれの選択タスクのために最適化され得る。これは、上述した米国特許出願公開第２０１２／００３８５５６号明細書に記載のユーザ・インタフェースを介して利用可能な制限されたオプションとは対照的である。
【０００７】
本発明の情報処理システムの実施形態において、第１のコントロール・インプットは、次のうちの少なくとも１つを含む：１）カーソルを第１の方向の第１の向きに動かす第１のスイッチ（又は、第１のボタン）と、カーソルを第１の方向の第１の向きとは反対の第２の向きに動かす第２のスイッチ（又は、第２のボタン）とを含む第１のセット、２）時計回りの回転又は反時計回りの回転に応じてそれぞれ第１の向き又は第２の向きにスクロールさせる第１の回転インプット、及び、３）第１のタッチパッド。第２のコントロール・インプットは、次のうちの少なくとも１つを含む：４）カーソルを第２の方向の第３の向きに動かす第３のスイッチ（又は、第３のボタン）と、カーソルを第２の方向の第３の向きとは反対の第４の向きに動かす第４のスイッチ（又は、第４のボタン）とを含む第２のセット、５）時計回りの回転又は反時計回りの回転に応じてそれぞれ第３の向き又は第４の向きにスクロールさせる第２の回転インプット、及び、６）第２のタッチパッド。
【０００８】
例えば、第１のコントロール・インプットは、カーソルを左（又は、右）に動かす第１のボタンと、カーソルを右（又は、左）に動かす第２のボタンとにより形成され、第２のコントロール・インプットは、カーソルを上（又は、下）に動かす第３のボタンと、カーソルを下（又は、上）に動かす第４のボタンとにより形成される。第１のボタン、第２のボタン、第３のボタン、及び第４のボタンは、ＣＥ機器の制御のための標準的なリモート・コントロール・デバイスにおいて従来から存在する、例えば、方向キー又は矢印キーにより形成される。ユーザ・インタフェースの個別の要素を指すとき、「スイッチ」、「ボタン」、及び「キー」という語は、本テキスト全体を通じて、置き換え可能に使用される。
【０００９】
別の例として、第１のコントロール・インプットは、左又は右にスクロールさせる第１の回転インプット（例えば、スクロール・ホイール）により形成され、第２のコントロール・インプットは、カーソルを上（又は、下）に動かす第３のボタンと、カーソルを下（又は、上）に動かす第４のボタンとにより形成される。方向キー及びスクロール・ホイールを備えた、ＣＥ機器の制御のためのリモート・コントロール・デバイスの例については、例えば、コーニンクレッカ・フィリップス・エレクトロニクスから入手可能な「Ｐｒｅｓｔｉｇｏ  ＳＲＵ８０１５」という一般的なリモート・コントロール・デバイス及び「Ｐｒｅｓｔｉｇｏ  ＳＲＵ９６００／１７」という一般的なリモート・コントロール・デバイスを参照されたい。
【００１０】
さらに別の例として、第１のコントロール・インプットは、第１のタッチパッドにより形成され、第２のコントロール・インプットは、第２のタッチパッドにより形成される。知られているように、（トラックパッドとも呼ばれる）タッチパッドは、触覚センサと特殊化した表面とを有し、その表面に接触しているユーザの指の動き及び位置を、ディスプレイ・モニタのスクリーン上のしるし又はカーソルの相対的位置に変換することによりポインティング・デバイスとして使用することができる。第１のタッチパッド及び第２のタッチパッドは、２つの別々のタッチパッドであってもよいし、同一のタッチパッドであってもよい。第１のタッチパッド及び／又は第２のタッチパッドは、スイッチ機能を組み込んだクリッカブル・タッチパッド（clickable  touchpad）を含み得る。情報処理システムが第２の動作モード（テキスト入力）にあるとき、クリッカブル・タッチパッドをクリックすることは、次の利用可能なオプションへのジャンプとして解釈され得る。例えば、クリッカブル・タッチパッドを横切るように指をスワイプさせることにより、第１の配列内の第１の英数字文字群のうちの特定の第１の英数字文字と第２の配列内の第２の英数字文字群のうちの特定の第２の英数字文字との特定の組合せの選択が制御され、クリッカブル・タッチパッドをクリックすることにより、特定の組合せ内の特定の第１の英数字文字と特定の組合せ内の特定の第２の英数字文字とのうちの特定の英数字文字の選択が制御される。代替として、第１のタッチパッド及び／又は第２のタッチパッドは、非クリッカブル・タッチパッドを含み得る。非クリッカブル・タッチパッドをタップすることは、次の利用可能なオプションへのジャンプとして解釈され得る。
【００１１】
本発明の情報処理システムのさらなる実施形態において、ユーザ・インタフェースは、第３のコントロール・インプットを含み、第３のコントロール・インプットは、情報処理システムの第１の動作モードにおいて、メニュー・オプションにカーソルを配置させた後のユーザによるメニュー・オプションの選択を確認するよう構成されている。第３のコントロール・インプットは、ユーザ・インタフェースにおいて、少なくとも、第１のスイッチと第２のスイッチとの間、又は第３のスイッチと第４のスイッチとの間に配置される。空間的構成は、複数の選択可能な英数字文字のうちの第３の英数字文字群の第３の配列を含む。第３の配列は、第１の方向及び第２の方向のうち、第１の配列及び第２の配列と同一の特定の方向に実質的に延びる。第３の配列は、第１の配列と第２の配列との間に配置される。第２の動作モードにおいて、情報処理システムは、ユーザが、第３のコントロール・インプットを介して、特定の第１の英数字文字と特定の第２の英数字文字との間に配置されている、第３の英数字文字群のうちの特定の英数字文字を選択することを可能にするよう構成されている。
【００１２】
そのような第３のコントロール・インプットの例は、上述した、従来からの一般的なリモート・コントロール・デバイスで通常見つかり、方向キーにより囲まれる「ＯＫ」ボタンである。「ＯＫ」ボタンは、コンピュータ又はＣＥ機器により提案されており、実行されるアクションを確認するため、又は、ユーザがディスプレイ・モニタのスクリーン上に表示されたメニュー・オプションにハイライト又はカーソルを配置させることにより、ユーザにより選択されたメニュー・オプションを確認するために、従来から使用されている。本発明は、「ＯＫ」ボタンを便利に使用して、特定の第３の英数字文字を選択する。特定の第３の英数字文字は、グループ内で特定の第１の英数字文字と特定の第２の英数字文字との間に配置され、第１の英数字文字は、方向ボタンの１つ（例えば、「上」ボタン）により選択することができ、第２の英数字文字は、方向ボタンの反対の１つ（ここでは、「下」ボタン）により選択することができることを覚えておいてください。「ＯＫ」ボタンは、「上」ボタンと「下」ボタンとの間に位置するので、「上」ボタン、「ＯＫ」ボタン、及び「下」ボタンの位置は、前に選択されたグループ内での第１の英数字文字、第３の英数字文字、及び第２の英数字文字の位置に合致する。
【００１３】
したがって、本発明の単純な実施形態を参照すると、本発明は、ディスプレイ・モニタと、テキスト入力のためのユーザ・インタフェースとを有する情報処理システムに関する。ディスプレイ・モニタは、３つの平行な水平方向の行の空間的構成で英数字文字のセットを提示する。ユーザ・インタフェースにおける方向ボタンの「左」ボタン及び「右」ボタンが、英数字文字のグループの選択を制御し、３つの平行な配列の各々の１文字が、同一の列内に配置される。方向ボタンの「上」ボタン及び「下」ボタン、並びにそれらの間に位置する「ＯＫ」ボタンを使用して、選択されたグループから、英数字文字群のうち特定の英数字文字を選択する。
【００１４】
本発明はまた、例えば、コンピュータ読み取り可能な媒体上に記憶される制御ソフトウェア又はインタネットを介してダウンロード可能なファイルとして提供される制御ソフトウェアとして、商用に利用され得る。制御ソフトウェアは、データ処理サブ・システムを構成する情報処理システムのデータ処理サブ・システム上にインストールされる。情報処理システムは、ディスプレイ・モニタとユーザ・インタフェースとを有し、ユーザ・インタフェースは、ユーザが情報処理システムとインタラクトすることを可能にする。データ処理サブ・システムは、ディスプレイ・モニタとインタフェースをとる第１のインタフェースと、ユーザ・インタフェースとインタフェースをとる第２のインタフェースとを有する。ユーザ・インタフェースは、情報処理システムの第１の動作モードにおいて、ディスプレイ・モニタに対して実質的に第１の方向にディスプレイ・モニタのスクリーン上でカーソルを動かすこと、及び、実質的に前記第１の方向にスクロールさせることのうちの１つをユーザが制御することを可能にする第１のコントロール・インプットを含む。ユーザ・インタフェースは、情報処理システムの第１の動作モードにおいて、ディスプレイ・モニタに対して第１の方向とは異なる実質的に第２の方向にスクリーン上でカーソルを動かすこと、及び、実質的に第２の方向にスクロールさせることのうちの１つをユーザが制御することを可能にする第２のコントロール・インプットを含む。制御ソフトウェアは、ユーザがユーザ・インタフェースとのインタラクションを介して英数字の文字列を情報処理システムに入力することを可能にする第２の動作モードにおいて動作させるための情報処理システムを構成する第１の命令を含む。第１の命令は、複数の選択可能な英数字文字を空間的構成で提示するディスプレイ・モニタを制御する第２の命令を含み、空間的構成は、複数の選択可能な英数字文字のうちの第１の英数字文字群の第１の配列と、複数の選択可能な英数字文字のうちの第２の英数字文字群の第２の配列とを含む。第１の配列及び第２の配列は、第１の方向及び第２の方向のうち実質的に同一の特定の方向に平行に延びるものとして提示される。第１の命令は、第１の英数字文字群のうちの特定の第１の英数字文字と第２の英数字文字群のうちの特定の第２の英数字文字との特定の組合せを選択する第３の命令を含む。選択は、ユーザが第１のコントロール・インプット及び第２のコントロール・インプットの一方とインタラクトしたことに応じて、空間的構成における特定の組合せに対応する特定の位置にしるしを配置することにより、実現される。第１の命令は、ユーザが第１のコントロール・インプット及び第２のコントロール・インプットの他方とインタラクトしたことに応じて、特定の第１の英数字文字と特定の第２の英数字文字とのうち特定の英数字文字を選択する第４の命令を含む。
【００１５】
ユーザ・インタフェースが、情報処理システムの第１の動作モードにおいて、メニュー・オプションにカーソルを配置させた後のユーザによるメニュー・オプションの選択を確認する第３のコントロール・インプットを含む場合に、制御ソフトウェアの実施形態を使用することができる。第３のコントロール・インプットは、ユーザ・インタフェースにおいて、少なくとも、第１のスイッチと第２のスイッチとの間、又は第３のスイッチと第４のスイッチとの間に配置される。空間的構成は、複数の選択可能な英数字文字のうちの第３の英数字文字群の第３の配列を含む。第３の配列は、第１の方向及び第２の方向のうちの同一の特定の方向に実質的に延びる。第３の配列は、第１の配列と第２の配列との間に配置される。第１の命令は、ユーザが第３のコントロール・インプットとインタラクトしたことに応じて、特定の第１の英数字文字と特定の第２の英数字文字との間に配置されている、第３の英数字文字群のうちの特定の英数字文字を選択する第５の命令を含む。
【００１６】
本発明はまた、情報処理システムのデータ処理サブ・システムとともに、ユーザ・インタフェースを有するインタフェースとして、商用に利用され得る。本発明は、ディスプレイ・モニタと、ディスプレイ・モニタの制御のためのデータ処理サブ・システムとを有する情報処理システムにおいて使用されるインタフェースに関する。インタフェースは、ユーザ・インタフェースとデータ処理サブ・システムを相互接続するよう構成されている。ユーザ・インタフェースは、情報処理システムの第１の動作モードにおいて、ディスプレイ・モニタに対して実質的に第１の方向にディスプレイ・モニタのスクリーン上でカーソルを動かすこと、及び、実質的に第１の方向にスクロールさせることのうちの１つをユーザが制御することを可能にする第１のコントロール・インプットを含む。ユーザ・インタフェースは、情報処理システムの第１の動作モードにおいて、ディスプレイ・モニタに対して第１の方向とは異なる実質的に第２の方向にスクリーン上でカーソルを動かすこと、及び、実質的に第２の方向にスクロールさせることのうちの１つをユーザが制御することを可能にする第２のコントロール・インプットを含む。インタフェースは、ユーザがユーザ・インタフェースとのインタラクションを介して英数字の文字列を情報処理システムに入力することを可能にするよう構成されている。インタフェースは、複数の選択可能な英数字文字を空間的構成で提示するディスプレイ・モニタを制御するよう構成されており、空間的構成は、複数の選択可能な英数字文字のうちの第１の英数字文字群の第１の配列と、複数の選択可能な英数字文字のうちの第２の英数字文字群の第２の配列とを含む。ディスプレイ・モニタは、第１の配列及び第２の配列を、第１の方向及び第２の方向のうち実質的に同一の特定の方向に平行に延びるものとして提示するよう動作可能である。インタフェースは、第１の英数字文字群のうちの特定の第１の英数字文字と第２の英数字文字群のうちの特定の第２の英数字文字との特定の組合せを選択するよう構成されている。選択は、ユーザが第１のコントロール・インプット及び第２のコントロール・インプットの一方とインタラクトしたことに応じて、空間的構成における特定の組合せに対応する特定の位置にしるしを配置することにより、実現される。インタフェースは、ユーザが第１のコントロール・インプット及び第２のコントロール・インプットの他方とインタラクトしたことに応じて、特定の第１の英数字文字と特定の第２の英数字文字とのうち特定の英数字文字を選択するよう構成されている。
【００１７】
ユーザ・インタフェースが、情報処理システムの第１の動作モードにおいて、メニュー・オプションにカーソルを配置させた後のユーザによるメニュー・オプションの選択を確認する第３のコントロール・インプットを含む場合に、インタフェースの実施形態を使用することができる。第３のコントロール・インプットは、ユーザ・インタフェースにおいて、少なくとも、第１のスイッチと第２のスイッチとの間、又は第３のスイッチと第４のスイッチとの間に配置される。空間的構成は、複数の選択可能な英数字文字のうちの第３の英数字文字群の第３の配列を含む。第３の配列は、第１の方向及び第２の方向のうちの同一の特定の方向に実質的に延びる。第３の配列は、第１の配列と第２の配列との間に配置される。インタフェースは、ユーザが第３のコントロール・インプットとインタラクトしたことに応じて、特定の第１の英数字文字と特定の第２の英数字文字との間に配置されている、第３の英数字文字群のうちの特定の英数字文字を選択するよう構成されている。
【００１８】
本発明におけるインタフェースは、例えば、従来からのリモート・コントロール・デバイスからコマンドを受信するＩＲ（赤外線）受信機又はＲＦ（無線周波数）受信機を有するドングル（dongle）、及び、リモート・コントロール・デバイスからコマンドを受信したことに応じて、ドングル内で生成される適切なコマンドをデータ処理サブ・システムに送信するＩＲ送信機又はＲＦ送信機を有するＵＳＢポートとして提供されてよい。
【図面の簡単な説明】
【００１９】
本発明が、例として添付の図面を参照することにより、さらに詳細に説明される。図面全体を通じて、類似する特徴又は対応する特徴は、同一の参照番号により示される。
【図１】本発明におけるシステムのブロック図。
【図２】本発明におけるシステムのユーザ・インタフェースの例の図。
【図３】本発明におけるシステムのユーザ・インタフェースの例の図。
【図４】テキスト入力のためのユーザ・インタフェースを用いる図。
【図５】テキスト入力のためのユーザ・インタフェースを用いる図。
【図６】テキスト入力のためのユーザ・インタフェースを用いる図。
【発明を実施するための形態】
【００２０】
図１は、ディスプレイ・モニタ１０２と、ユーザが情報処理システム１００とインタラクトすることを可能にするユーザ・インタフェース１０４とを有する情報処理システム１００のブロック図である。ユーザ・インタフェース１０４は、データ処理サブ・システム１０６を介してディスプレイ・モニタ１０２に接続される。ユーザ・インタフェース１０４とデータ処理サブ・システム１０６との接続は、有線であってもよいし、無線（例えば、無線周波数（ＲＦ）又は赤外線（ＩＲ）を介する）であってもよい。データ処理サブ・システム１０６は、ユーザとユーザ・インタフェース１０４とのインタラクションをディスプレイ・モニタ１０２のための制御コマンドに変換するよう構成されている。ユーザ・インタフェース１０４は、第１のコントロール・インプット１０８及び第２のコントロール・インプット１１０を含む。
【００２１】
第１のコントロール・インプット１０８は、情報処理システムの第１の動作モードにおいて、ユーザが、ディスプレイ・モニタ１０２に対して実質的に第１の方向１１２にディスプレイ・モニタ１０２のスクリーン上で、例えば、カーソル（図示せず）、ハイライト（図示せず）、又は別のしるし（図示せず）を動かすのを制御することを可能にするよう構成されている。示された例において、第１の方向１１２は水平方向であり、第１のコントロール・インプット１０８は、例えば、カーソルを左又は右に動かすよう構成されている。代替として、第１のコントロール・インプット１０８は、実質的に第１の方向１１２に（示された例では、左又は右に）、ディスプレイ・モニタ１０２上にレンダリングされる、例えばテキスト・ドキュメント又は画像をスクロールさせるよう構成される。
【００２２】
第２のコントロール・インプット１１０は、情報処理システムの第１の動作モードにおいて、ユーザが、ディスプレイ・モニタ１０２に対して第１の方向１１２とは異なる実質的に第２の方向１１４にスクリーン上で、例えば、カーソルを動かすのを制御することを可能にするよう構成されている。示された例において、第２の方向１１４は垂直方向であり、第２のコントロール・インプットは、例えば、カーソルを上又は下に動かすよう構成されている。代替として、第２のコントロール・インプット１１０は、実質的に第２の方向１１４に（示された例では、上又は下に）、ディスプレイ・モニタ１０２上にレンダリングされる、例えばテキスト・ドキュメント又は画像をスクロールさせるよう構成される。第１のコントロール・インプット１０８及び第２のコントロール・インプット１１０の例は、例えば、消費家電業界における一般的なリモート・コントロール・デバイスのユーザ・インタフェース及びスマートフォンのユーザ・インタフェースではよく知られている。
【００２３】
情報処理システム１００はまた、ユーザが、ユーザ・インタフェース１０４とのインタラクションを介して、英数字の文字列を情報処理システム１００に入力することを可能にする第２の動作モードも有する。第２の動作モードにおいて、情報処理システム１００は、複数の選択可能な英数字文字を空間的構成で提示するディスプレイ・モニタ１０２を制御するよう構成されており、空間的構成は、複数の選択可能な英数字文字のうちの第１の英数字文字群の第１の配列１１６と、複数の選択可能な英数字文字のうちの第２の英数字文字群の第２の配列１１８とを含む。「英数字文字」という表現は、本明細書において、一連の文字又は記号の各々は、音素、語、意味ユニット（semantic  unit）、又は音節、例えば、小文字、大文字、又はそれら両方のアルファベット（ギリシャ語、ラテン語、キリル文字、ヘブライ語、ヒンディ語等）の文字、句読点、及び、自然数０，１，．．，８，９を表すという一般的な原理に基づいて１以上の言葉を書くために使用される一連の基本的な書き言葉の文字又は記号を指すために使用される。ディスプレイ・モニタ１０２は、第１の配列１１６及び第２の配列１１８を、第１の方向１１２及び第２の方向１１４のうち実質的に同一の特定の方向に平行に延びるものとして提示するよう、動作可能である。示された例において、第１の配列１１６及び第２の配列１１８は、水平方向１１２に真っすぐに延びており、第２の配列１１８は、第１の配列１１６の下に提示されている。
【００２４】
さらに第２のモードにおいて、情報処理システム１００は、ユーザが、第１の英数字文字群のうちの特定の１つと第２の英数字文字群のうちの特定の１つとの特定の組合せを選択することを可能にするよう構成されている。ここで、ユーザは、図１の例における第１のコントロール・インプット１０８を用いて、空間的構成における特定の組合せに対応する特定の位置にしるし（破線の楕円１２０として例として図示されている）を配置することにより、特定の組合せを選択する。すなわち、示された例において、第１のコントロール・インプット１０８は、ユーザが、空間的構成に沿って水平方向に楕円１２０を動かすことを可能にし、それにより、１回に、１組の特定の第１の英数字文字（図１では、第１の配列１１６中の文字「ｍ」）及び特定の第２の英数字文字（図１では、第２の配列１１８中の文字「ｏ」）を選択することを可能にする。また、第２の動作モードにおいて、情報処理システム１００は、ユーザが、この例において、第２のコントロール・インプット１１０を用いることにより、特定の第１の英数字文字と特定の第２の英数字文字とのうち特定の１つを選択することを可能にするよう構成されている。
【００２５】
したがって、本発明により、第１の配列１１６及び第２の配列１１８の空間的構成に沿った位置にしるしを配置することにより、特定の英数字文字のグループ（示された例では、グループは文字「ｍ」及び文字「ｏ」により形成される）を選択するために、第１のコントロール・インプット１０８及び第２のコントロール・インプット１１０の１つを使用することが可能となり、グループ内の特定の文字群のうちの１つ（例えば、示された例では、文字「ｏ」）を選択するために、第２のコントロール・インプット１１０を使用することが可能となる。
【００２６】
情報処理システム１００の第２の動作モードにおいて、データ処理サブ・システム１０６は、これまで入力された英数字文字のテキストをフィールド１２２内に収集するディスプレイ・モニタ１０２を制御する。
【００２７】
情報処理システム１００の示された実施形態において、ユーザ・インタフェース１０４は、第３のコントロール・インプット１２４を含む。第３のコントロール・インプット１２４は、情報処理システム１００の第１の動作モードにおいて、ディスプレイ・モニタ１０２上に表示されたメニュー（図示せず）内のメニュー・オプション（図示せず）にカーソルを配置させた後のユーザによるメニュー・オプションの選択を確認するよう構成されている。空間的構成は、複数の選択可能な英数字文字のうちの第３の英数字文字群の第３の配列１２６を含む。第３の配列１２６は、第１の方向１１２及び第２の方向１１４のうちの同一の特定の方向に実質的に延びる（ここでは、水平方向に延びる）。第３の配列１２６は、第１の配列１１６と第２の配列１１８との間に配置されている。第２の動作モードにおいて、情報処理システム１００は、ユーザが、第３のコントロール・インプット１２４を介して、特定の第１の英数字文字と特定の第２の英数字文字との間に配置されている、第３の英数字文字群のうちの特定の１つを選択することを可能にするよう構成されている。示された例において、特定の第３の英数字文字は、特定の第１の英数字文字「ｍ」と特定の第２の英数字文字「ｏ」との間に位置する文字「ｎ」である。
【００２８】
図１は、水平方向の直線に沿って配置された一連の英数字文字を囲む矩形として、第１の配列１１６、第２の配列１１８、及び第３の配列１２６をそれぞれ示している。配列１１６、第２の配列１１８、及び第３の配列１２６の矩形以外の形状、及び直線以外の英数字文字の空間的構成も可能である。例えば、第１の配列１１６、第２の配列１１８、及び第３の配列１２６は、同心ブロックの円弧又はドーナッツ状として形成され、英数字文字のそれぞれの空間的構成は、曲線に沿う。また、第１の配列１１６、第２の配列１１８、及び第３の配列１２６の空間的構成は、水平方向１１２にメイン・ディメンジョン（main  dimension）を有するものとして示されている。すなわち、示された例において、第１の配列１１６、第２の配列１１８、及び第３の配列１２６の各々は、水平方向の行を形成し、各英数字文字群は、水平方向に次々に配置されるものとして、ディスプレイ・モニタ１０２のスクリーン上に提示される。第１の配列１１６、第２の配列１１８、及び第３の配列１２６の代替の空間的構成（図示せず）は、それぞれ垂直方向の列により形成される第１の配列１１６、第２の配列１１８、及び第３の配列１２６を有してもよく、この構成では、各英数字文字群は、垂直方向に次々に配置されるものとして、ディスプレイ・モニタ１０２のスクリーン上に提示される。
【００２９】
図２及び図３は、例えば、（消費家電）機器を制御するリモート・コントロール・デバイス、スマートフォン、又は別の電子ハンドヘルド・デバイスの一部を形成し、本発明に従った情報処理システム１００を促進するために使用することができるユーザ・インタフェース１０４の従来例を示している。
【００３０】
図２は、中央の「ＯＫ」ボタン２１０を囲む４つの方向キー（「上」ボタン２０２、「下」ボタン２０４、「左」ボタン２０６、及び「右」ボタン２０８）を用いて実装されたユーザ・インタフェース１０４の第１の例２００の図である。４つの方向ボタンを使用して、通常、機器の制御のためのコントロール・オプションのメニューとインタラクトするために、ディスプレイ・モニタのスクリーンにわたって、カーソル又はハイライトを操作する。「ＯＫ」ボタン２１０を使用して、通常、ユーザがディスプレイ・モニタ上に表示されたメニュー内の特定のメニュー・オプション上にカーソル又はハイライトを配置させた後、カーソル又はハイライトにより示される特定のメニュー・オプションの選択を確認する。
【００３１】
ユーザ・インタフェース１０４の例２００は、ユーザに、第２の動作モード（テキスト入力）において、便利で且つ直感的に明快な形で情報処理システム１００とインタラクトさせる。第２の動作モードにおいて、第１の配列１１６、第２の配列１１８、及び第３の配列１２６の空間的構成に沿って水平方向にしるし（例えば、楕円１２０）を動かすための第１のコントロール・インプット１０８は、「左」ボタン２０６及び「右」ボタン２０８により実装される。第２の動作モードにおいて、第２のコントロール・インプット１１０は、楕円１２０の現在位置に関連付けられた英数字文字のグループから、第１の配列１１６内の特定の第１の英数字文字又は第２の配列１１８内の特定の第２の英数字文字を選択するために使用される。第２のコントロール・インプット１１０は、「上」ボタン２０２及び「下」ボタン２０４により、便利に実装される。「ＯＫ」ボタン１２４は、「上」ボタン２０２と「下」ボタン２０４との間に位置する。したがって、「ＯＫ」ボタン１２４は、楕円１２０の現在位置に関連付けられた英数字文字のグループから、第３の配列１２６内の特定の第３の英数字文字を選択するために、便利に使用される。
【００３２】
図３は、クリッカブル・スクロール・ホイール（clickable  scroll  wheel）３０２及びクリッカブル・スクロール・ホイール３０２の中央の「ＯＫ」ボタン２１０により実装されたユーザ・インタフェース１０４の第２の例３００の図である。スクロール・ホイールは、ユーザ・インタフェースの分野ではよく知られており、ユーザが時計回り３０４又は反時計回り３０６にスクロール・ホイールを回転させることにより、ユーザ入力を可能にする。したがって、スクロール・ホイールは、回転のユニットによるユーザ入力の漸増的変化を可能にする。情報処理システム１００の第２の動作モード（テキスト入力）において使用されるとき、第１の配列１１６内の特定の第１の英数字文字と第２の配列１１８内の特定の第２の英数字文字と第３の配列１２６内の特定の第３の英数字文字とから構成されるグループを選択するために、第１の配列１１６、第２の配列１１８、及び第３の配列１２６の空間的構成のメイン・ディメンジョンに沿ってしるし（ここでは、楕円１２０）の位置を制御するのに、漸増的変化は非常に適切である。
【００３３】
クリッカブル・スクロール・ホイールは、１以上の関連位置においてスクロール・ホイールをクリックすることによりユーザが操作することができる１以上のスイッチとともに提供されるスクロール・ホイールである。図３の例では、４つの方向アイコン（「上」アイコン３０８、「下」アイコン３１０、「左」アイコン３１２、及び「右」アイコン３１４）が、図２の第１の例２００における方向キーと同様のレイアウトで、クリッカブル・スクロール・ホイール３０２の周りに配置されている。情報処理システム１００が第１の動作モードにあるとき、「上」アイコン３０８、「下」アイコン３１０、「左」アイコン３１２、及び「右」アイコン３１４それぞれの近くの位置でクリッカブル・スクロール・ホイール３０２をクリックすることは、図２の第１の例２００における「上」ボタン２０２、「下」ボタン２０４、「左」ボタン２０６、及び「右」ボタン２０８それぞれのボタンを押すときの効果と同様の効果を有するスイッチ（図示せず）をアクティブ化する。
【００３４】
情報処理システム１００の第２の動作モード（テキスト入力）において、「上」アイコン３０８の位置の近くでクリッカブル・スクロール・ホイール３０２をクリックすることは、フィールド１２２への次の入力として、グループから、第１の配列１１６内の特定の第１の英数字文字を選択させ、「下」アイコン３１０の位置の近くでクリッカブル・スクロール・ホイール３０２をクリックすることは、フィールド１２２への次の入力として、グループから、第２の配列１１８内の特定の第２の英数字文字を選択させる。「ＯＫ」ボタンは、「上」アイコン３０８と「下」アイコン３１０との間に位置するので、「ＯＫ」ボタン１２４は、楕円１２０の現在位置に関連付けられたグループから、第３の配列１２６内の特定の第３の英数字文字を選択するために、便利に使用される。
【００３５】
ユーザ・インタフェース１０４は、情報処理システム１００の第２の動作モード（テキスト入力）において、テキスト入力を容易にする、あるいはテキスト入力を強化するよう構成される追加の要素（例えば、ボタン、キー、又は他のウィジェット）を有することができる。例えば、消費家電機器の制御のためのリモート・コントロール・デバイスのユーザ・インタフェースについて考えてみる。通常、そのようなユーザ・インタフェースは、電子番組表（ＥＰＧ）又はテレビジョン・セットの別のコントロール・メニューとインタラクトするための周知の機能を有する追加のボタン（図示せず）を含む。そのような例として、ディスプレイ・モニタ１０２上にコントロール・メニューを表示させる「メニュー」ボタン、ディスプレイ・モニタ１０２上にＥＰＧを表示させる「ガイド」ボタン、ディスプレイ・モニタ１０２に階層的コントロール・メニュー若しくは呼び出されたコントロール・メニュー、又は階層的ＥＰＧ若しくは呼び出されたＥＰＧにおける以前のレベルを表示させる「戻る」ボタン等がある。第２の動作モード（テキスト入力）で動作している本発明の情報処理システム１００とインタラクトするとき、データ処理サブ・システム１０６は、そのような追加のボタンが、例えば、大文字と小文字とを切り替えるように；最も直近に入力された英数字文字を削除するために、入力を取り消すように；ＵＲＬを入力するのを促進するために、ドット（「．」）又は前方スラッシュ（「／」）を入力するように、構成され得る。
【００３６】
図１に戻ると、これまでに入力されたテキストは次のようである：「Hello  inventors  Peh  Beng  Tee  and  Andries  Rombouts,  the  UI  works  really  well  in  the  demo,  and  we  h」。ＵＩ１０４とインタラクトしている人は、次のような明るいメッセージを作成したいと思っている：「Hello  inventors  Peh  Beng  Tee  and  Andries  Rombouts,  the  UI  works  really  well  in  the  demo,  and  we  hope  that  the  patent  is  going  to  be  granted  soon.  Cheers,  Jerry.」。
【００３７】
図４を参照すると、ＵＩ１０４とインタラクトしている人（Ｊｅｒｒｙ）は、明るいメッセージを作成するのを進めるために、次に、テキスト文字「ｏ」を入力する必要がある。そこで、Ｊｅｒｒｙは、「上」ボタン２０２、「下」ボタン２０４、「左」ボタン２０６、及び「右」ボタン２０８と、中央の「ＯＫ」ボタン２１０とを含むユーザ・インタフェース１０４の第１の例２００を使用していると仮定する。楕円１２０は、すでに、文字「ｍ」、文字「ｎ」、及び文字「ｏ」のグループ上に配置されているので、Ｊｅｒｒｙは、テキスト文字「ｏ」を選択するために、「下」ボタン２０４を押す。楕円１２０内の垂直のグループにおけるテキスト文字「ｍ」、「ｎ」、及び「ｏ」の相対的位置は、ユーザ・インタフェース１０４の第１の例２００における「上」ボタン２０２、中央の「ＯＫ」ボタン２１０、及び「下」ボタン２０４により形成されるボタンのグループの相対的位置と対応することに留意されたい。相対的位置間のこの対応は、ユーザ・インタフェース１０４の第１の例２００のユーザにより、直感的に理解しやすい。
【００３８】
図５を参照すると、Ｊｅｒｒｙは、次の文字「ｐ」を入力するために、次のように進める。文字「ｐ」を入力するために、Ｊｅｒｒｙは、文字「ｐ」を含む文字のグループ上に楕円１２０を配置させる。したがって、Ｊｅｒｒｙは、楕円１２０を右に１ステップ動かすために、「右」ボタン２０８を１回押す。すると、楕円１２０は、文字「ｐ」、文字「ｑ」、及び文字「ｒ」の垂直のグループ上に配置される。次いで、Ｊｅｒｒｙは、文字「ｐ」を選択するために、「上」ボタン２０２を押す。
【００３９】
図６を参照すると、Ｊｅｒｒｙは、次の文字「ｅ」を入力するために、次のように進める。文字「ｅ」を入力するために、Ｊｅｒｒｙは、文字「ｅ」を含む文字のグループ上に楕円１２０を配置させる。したがって、Ｊｅｒｒｙは、文字「ｄ」、文字「ｅ」、及び文字「ｆ」の垂直のグループ上に楕円１２０を配置させるために、「左」ボタン２０６を４回押す（あるいは、楕円１２０が所望の位置に移動するまで、「左」ボタン２０６を押し続ける）。次いで、Ｊｅｒｒｙは、文字「ｅ」を選択するために、中央の「ＯＫ」ボタン２１０を押す。楕円１２０内の垂直のグループにおけるテキスト文字「ｄ」、「ｅ」、及び「ｆ」の相対的位置は、ユーザ・インタフェース１０４の第１の例２００における「上」ボタン２０２、中央の「ＯＫ」ボタン２１０、及び「下」ボタン２０４により形成されるボタンのグループの相対的位置と対応することに再度留意されたい。明るいメッセージの残りの部分のテキスト文字が、図１、図４、図５、及び図６の例に示されるのと同様に入力される。
【図１】
2015518225.tif 000003
【図２】
2015518225.tif 000004
【図３】
2015518225.tif 000005
【図４】
2015518225.tif 000006
【図５】
2015518225.tif 000007
【図６】
2015518225.tif 000008
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
ディスプレイ・モニタとユーザ・インタフェースとを有する情報処理システムであって、前記ユーザ・インタフェースは、ユーザが当該情報処理システムとインタラクトすることを可能にし、
前記ユーザ・インタフェースは、当該情報処理システムの第１の動作モードにおいて、
前記ディスプレイ・モニタに対して実質的に第１の方向に前記ディスプレイ・モニタのスクリーン上でカーソルを動かすこと、及び
実質的に前記第１の方向にスクロールさせること
のうちの１つを前記ユーザが制御することを可能にする第１のコントロール・インプットを含み、
前記ユーザ・インタフェースは、当該情報処理システムの前記第１の動作モードにおいて、
前記ディスプレイ・モニタに対して前記第１の方向とは異なる実質的に第２の方向に前記スクリーン上で前記カーソルを動かすこと、及び
実質的に前記第２の方向にスクロールさせること
のうちの１つを前記ユーザが制御することを可能にする第２のコントロール・インプットを含み、
当該情報処理システムは、前記ユーザが前記ユーザ・インタフェースとのインタラクションを介して英数字の文字列を当該情報処理システムに入力することを可能にする第２の動作モードを有し、
前記第２の動作モードにおいて、当該情報処理システムは、複数の選択可能な英数字文字を空間的構成で提示する前記ディスプレイ・モニタを制御するよう構成されており、前記空間的構成は、前記複数の選択可能な英数字文字のうちの第１の英数字文字群の第１の配列と、前記複数の選択可能な英数字文字のうちの第２の英数字文字群の第２の配列とを含み、
前記ディスプレイ・モニタは、前記第１の配列及び前記第２の配列を、前記第１の方向及び前記第２の方向のうち実質的に同一の特定の方向に平行に延びるものとして提示するよう動作可能であり、
当該情報処理システムは、さらに、前記第２の動作モードにおいて、
前記ユーザが、前記第１の英数字文字群のうちの特定の第１の英数字文字と前記第２の英数字文字群のうちの特定の第２の英数字文字との特定の組合せを選択することを可能にし、ここで、前記選択は、前記第１のコントロール・インプット及び前記第２のコントロール・インプットの一方を用いて、前記空間的構成における前記特定の組合せに対応する特定の位置にしるしを配置することにより実現され、
前記ユーザが、前記第１のコントロール・インプット及び前記第２のコントロール・インプットのうちの他方を用いて、前記特定の第１の英数字文字と前記特定の第２の英数字文字とのうち特定の英数字文字を選択することを可能にするよう
構成されており、
前記第１のコントロール・インプットは、
前記カーソルを前記第１の方向の第１の向きに動かす第１のスイッチと、前記カーソルを前記第１の方向の前記第１の向きとは反対の第２の向きに動かす第２のスイッチとを含む第１のセット、及び
時計回りの回転又は反時計回りの回転に応じてそれぞれ前記第１の向き又は前記第２の向きにスクロールさせるスクロール・ホイール
のうちの少なくとも１つを含み、
前記第２のコントロール・インプットは、
前記カーソルを前記第２の方向の第３の向きに動かす第３のスイッチと、前記カーソルを前記第２の方向の前記第３の向きとは反対の第４の向きに動かす第４のスイッチとを含む第２のセット
を含み、
前記ユーザ・インタフェースは、第３のコントロール・インプットを含み、前記第３のコントロール・インプットは、当該情報処理システムの前記第１の動作モードにおいて、メニュー・オプションに前記カーソルを配置させた後の前記ユーザによる前記メニュー・オプションの選択を確認するよう構成され、
前記第３のコントロール・インプットは、前記ユーザ・インタフェースにおいて、前記第１のスイッチと前記第２のスイッチとの間、及び前記第３のスイッチと前記第４のスイッチとの間に配置され、
前記空間的構成は、前記複数の選択可能な英数字文字のうちの第３の英数字文字群の第３の配列を含み、
前記第３の配列は、前記第１の方向及び前記第２の方向のうちの前記同一の特定の方向に実質的に延び、
前記第３の配列は、前記第１の配列と前記第２の配列との間に配置され、
前記第２の動作モードにおいて、当該情報処理システムは、前記ユーザが、前記第３のコントロール・インプットを介して、前記特定の第１の英数字文字と前記特定の第２の英数字文字との間に配置されている、前記第３の英数字文字群のうちの特定の英数字文字を選択することを可能にするよう構成されている、情報処理システム。
【請求項２】
前記スクロール・ホイールは、クリックされたときに前記第１のスイッチ、前記第２のスイッチ、前記第３のスイッチ、又は前記第４のスイッチをアクティブ化するよう構成されたクリッカブル・スクロール・ホイールである、請求項１記載の情報処理システム。
【請求項３】
情報処理システムのデータ処理サブ・システムを構成する制御ソフトウェアであって、
前記情報処理システムは、ディスプレイ・モニタとユーザ・インタフェースとを有し、前記ユーザ・インタフェースは、ユーザが前記情報処理システムとインタラクトすることを可能にし、
前記データ処理サブ・システムは、前記ディスプレイ・モニタとインタフェースをとる第１のインタフェースと、前記ユーザ・インタフェースとインタフェースをとる第２のインタフェースとを有し、
前記ユーザ・インタフェースは、前記情報処理システムの第１の動作モードにおいて、
前記ディスプレイ・モニタに対して実質的に第１の方向に前記ディスプレイ・モニタのスクリーン上でカーソルを動かすこと、及び
実質的に前記第１の方向にスクロールさせること
のうちの１つを前記ユーザが制御することを可能にする第１のコントロール・インプットを含み、
前記ユーザ・インタフェースは、前記情報処理システムの前記第１の動作モードにおいて、
前記ディスプレイ・モニタに対して前記第１の方向とは異なる実質的に第２の方向に前記スクリーン上で前記カーソルを動かすこと、及び
実質的に前記第２の方向にスクロールさせること
のうちの１つを前記ユーザが制御することを可能にする第２のコントロール・インプットを含み、
前記第１のコントロール・インプットは、
前記カーソルを前記第１の方向の第１の向きに動かす第１のスイッチと、前記カーソルを前記第１の方向の前記第１の向きとは反対の第２の向きに動かす第２のスイッチとを含む第１のセット、及び
時計回りの回転又は反時計回りの回転に応じてそれぞれ前記第１の向き又は前記第２の向きにスクロールさせるスクロール・ホイール
のうちの少なくとも１つを含み、
前記第２のコントロール・インプットは、
前記カーソルを前記第２の方向の第３の向きに動かす第３のスイッチと、前記カーソルを前記第２の方向の前記第３の向きとは反対の第４の向きに動かす第４のスイッチとを含む第２のセット
を含み、
当該制御ソフトウェアは、前記ユーザが前記ユーザ・インタフェースとのインタラクションを介して英数字の文字列を前記情報処理システムに入力することを可能にする第２の動作モードにおいて動作させるための前記情報処理システムを構成する第１の命令を含み、
前記第１の命令は、複数の選択可能な英数字文字を空間的構成で提示する前記ディスプレイ・モニタを制御する第２の命令を含み、前記空間的構成は、前記複数の選択可能な英数字文字のうちの第１の英数字文字群の第１の配列と、前記複数の選択可能な英数字文字のうちの第２の英数字文字群の第２の配列とを含み、
前記第１の配列及び前記第２の配列は、前記第１の方向及び前記第２の方向のうち実質的に同一の特定の方向に平行に延びるものとして提示され、
前記第１の命令は、前記第１の英数字文字群のうちの特定の第１の英数字文字と前記第２の英数字文字群のうちの特定の第２の英数字文字との特定の組合せを選択する第３の命令を含み、前記選択は、前記ユーザが前記第１のコントロール・インプット及び前記第２のコントロール・インプットの一方とインタラクトしたことに応じて、前記空間的構成における前記特定の組合せに対応する特定の位置にしるしを配置することにより実現され、
前記第１の命令は、前記ユーザが前記第１のコントロール・インプット及び前記第２のコントロール・インプットの他方とインタラクトしたことに応じて、前記特定の第１の英数字文字と前記特定の第２の英数字文字とのうち特定の英数字文字を選択する第４の命令を含み、
前記ユーザ・インタフェースは、第３のコントロール・インプットを含み、前記第３のコントロール・インプットは、前記情報処理システムの前記第１の動作モードにおいて、メニュー・オプションに前記カーソルを配置させた後の前記ユーザによる前記メニュー・オプションの選択を確認するよう構成され、
前記第３のコントロール・インプットは、前記ユーザ・インタフェースにおいて、前記第１のスイッチと前記第２のスイッチとの間、及び前記第３のスイッチと前記第４のスイッチとの間に配置され、
前記空間的構成は、前記複数の選択可能な英数字文字のうちの第３の英数字文字群の第３の配列を含み、
前記第３の配列は、前記第１の方向及び前記第２の方向のうちの前記同一の特定の方向に実質的に延び、
前記第３の配列は、前記第１の配列と前記第２の配列との間に配置され、
前記第１の命令は、前記ユーザが前記第３のコントロール・インプットとインタラクトしたことに応じて、前記特定の第１の英数字文字と前記特定の第２の英数字文字との間に配置されている、前記第３の英数字文字群のうちの特定の英数字文字を選択する第５の命令を含む、制御ソフトウェア。
【請求項４】
ディスプレイ・モニタと、前記ディスプレイ・モニタの制御のためのデータ処理サブ・システムとを有する情報処理システムにおいて使用されるインタフェースであって、
当該インタフェースは、ユーザ・インタフェースを前記データ処理サブ・システムと相互接続するよう構成され、
前記ユーザ・インタフェースは、前記情報処理システムの第１の動作モードにおいて、
前記ディスプレイ・モニタに対して実質的に第１の方向に前記ディスプレイ・モニタのスクリーン上でカーソルを動かすこと、及び
実質的に前記第１の方向にスクロールさせること
のうちの１つをユーザが制御することを可能にする第１のコントロール・インプットを含み、
前記ユーザ・インタフェースは、前記情報処理システムの前記第１の動作モードにおいて、
前記ディスプレイ・モニタに対して前記第１の方向とは異なる実質的に第２の方向に前記スクリーン上で前記カーソルを動かすこと、及び
実質的に前記第２の方向にスクロールさせること
のうちの１つを前記ユーザが制御することを可能にする第２のコントロール・インプットを含み、
前記第１のコントロール・インプットは、
前記カーソルを前記第１の方向の第１の向きに動かす第１のスイッチと、前記カーソルを前記第１の方向の前記第１の向きとは反対の第２の向きに動かす第２のスイッチとを含む第１のセット、及び
時計回りの回転又は反時計回りの回転に応じてそれぞれ前記第１の向き又は前記第２の向きにスクロールさせるスクロール・ホイール
のうちの少なくとも１つを含み、
前記第２のコントロール・インプットは、
前記カーソルを前記第２の方向の第３の向きに動かす第３のスイッチと、前記カーソルを前記第２の方向の前記第３の向きとは反対の第４の向きに動かす第４のスイッチとを含む第２のセット
を含み、
当該インタフェースは、前記ユーザが前記ユーザ・インタフェースとのインタラクションを介して英数字の文字列を前記情報処理システムに入力することを可能にするよう構成され、
当該インタフェースは、複数の選択可能な英数字文字を空間的構成で提示する前記ディスプレイ・モニタを制御するよう構成されており、前記空間的構成は、前記複数の選択可能な英数字文字のうちの第１の英数字文字群の第１の配列と、前記複数の選択可能な英数字文字のうちの第２の英数字文字群の第２の配列とを含み、
前記ディスプレイ・モニタは、前記第１の配列及び前記第２の配列を、前記第１の方向及び前記第２の方向のうち実質的に同一の特定の方向に平行に延びるものとして提示するよう動作可能であり、
当該インタフェースは、
前記第１の英数字文字群のうちの特定の第１の英数字文字と前記第２の英数字文字群のうちの特定の第２の英数字文字との特定の組合せを選択し、ここで、前記選択は、前記ユーザが前記第１のコントロール・インプット及び前記第２のコントロール・インプットの一方とインタラクトしたことに応じて、前記空間的構成における前記特定の組合せに対応する特定の位置にしるしを配置することにより実現され
前記ユーザが前記第１のコントロール・インプット及び前記第２のコントロール・インプットの他方とインタラクトしたことに応じて、前記特定の第１の英数字文字と前記特定の第２の英数字文字とのうち特定の英数字文字を選択するよう
構成されており、
前記ユーザ・インタフェースは、第３のコントロール・インプットを含み、前記第３のコントロール・インプットは、前記情報処理システムの前記第１の動作モードにおいて、メニュー・オプションに前記カーソルを配置させた後の前記ユーザによる前記メニュー・オプションの選択を確認するよう構成され、
前記第３のコントロール・インプットは、前記ユーザ・インタフェースにおいて、前記第１のスイッチと前記第２のスイッチとの間、及び前記第３のスイッチと前記第４のスイッチとの間に配置され、
前記空間的構成は、前記複数の選択可能な英数字文字のうちの第３の英数字文字群の第３の配列を含み、
前記第３の配列は、前記第１の方向及び前記第２の方向のうちの前記同一の特定の方向に実質的に延び、
前記第３の配列は、前記第１の配列と前記第２の配列との間に配置され、
当該インタフェースは、前記ユーザが前記第３のコントロール・インプットとインタラクトしたことに応じて、前記特定の第１の英数字文字と前記特定の第２の英数字文字との間に配置されている、前記第３の英数字文字群のうちの特定の英数字文字を選択するよう構成されている、インタフェース。
【手続補正２】
【補正対象書類名】明細書
【補正対象項目名】０００２
【補正方法】変更
【補正の内容】
【０００２】
参照により本明細書に組み込まれる米国特許出願公開第２０１２／００３８５５６号明細書は、英数字テキストの入力を提供する装置、方法、及びユーザ・インタフェースを開示している。一形態において、ユーザ・インタフェース内で選択可能な文字を提供する方法は、通信デバイスの動作モードを判定するステップと、選択された入力キーに関連付けられた入力を受信するステップとを含む。この方法は、動作モードに基づいて、選択されたキーに関連付けられた文字のグループを判定し、ユーザ・インタフェース内に文字のグループを表示する。ユーザ・インタフェースは、ユーザ・インタフェースの第１の部分内に文字のグループのうちの第１の文字を表示することができ、ユーザ・インタフェースの第２の部分内に第１の文字の近くにある文字のグループを表示することができる。米国特許出願公開第２０１２／００３８５５６号明細書は、選択可能な文字のグループの周りで実質的に中央に置かれ得るカーソルを提供することを記載している。ユーザ・インタフェース内での英数字テキストの見易さを向上させるために、文字のグループは、セグメント化されて表示され得る。ユーザ・インタフェースは、選択されたキーに基づいて、文字のグループを表示することができ、さらに、文字のグループ内のハイライトされた文字に関連するように配置されたバブル・ヘルプ・カーソル（bubble  help  cursor）を表示することができる。バブル・ヘルプ・カーソルは、ハイライトされた文字を含み、ユーザは、文字のグループ内の次の文字又は前の文字を表示するバブル・ヘルプ・カーソルを用いて、文字のグループをスクロールさせることができる。
米国特許第５５４３８１８号明細書は、少数のキーを有する入力デバイスを用いて、英数字テキスト又は他のテキストをコンピュータ・システムに入力する方法及び装置を記述している。コンピュータ・システムは、プロセッサを含み、プロセッサは、入力デバイス上の少なくとも１つのカーソル移動キーの作動に応答して、１つのグループから別のグループへ表示されたカーソルを動かすため、且つ入力デバイス上の少なくとも２つの選択キーのうちの１つの作動に応答して、グループ内の文字を選択するために、表示された文字のグループを含む文字選択メニューを表示するようプログラムされている。
【手続補正３】
【補正対象書類名】明細書
【補正対象項目名】０００７
【補正方法】変更
【補正の内容】
【０００７】
第１のコントロール・インプットは、次のうちの少なくとも１つを含む：１）カーソルを第１の方向の第１の向きに動かす第１のスイッチ（又は、第１のボタン）と、カーソルを第１の方向の第１の向きとは反対の第２の向きに動かす第２のスイッチ（又は、第２のボタン）とを含む第１のセット、２）時計回りの回転又は反時計回りの回転に応じてそれぞれ第１の向き又は第２の向きにスクロールさせるスクロール・ホイール。第２のコントロール・インプットは、カーソルを第２の方向の第３の向きに動かす第３のスイッチ（又は、第３のボタン）と、カーソルを第２の方向の第３の向きとは反対の第４の向きに動かす第４のスイッチ（又は、第４のボタン）とを含む第２のセットを含む。
【手続補正４】
【補正対象書類名】明細書
【補正対象項目名】０００９
【補正方法】変更
【補正の内容】
【０００９】
別の例として、第１のコントロール・インプットは、左又は右にスクロールさせるスクロール・ホイールにより形成され、第２のコントロール・インプットは、カーソルを上（又は、下）に動かす第３のボタンと、カーソルを下（又は、上）に動かす第４のボタンとにより形成される。方向キー及びスクロール・ホイールを備えた、ＣＥ機器の制御のためのリモート・コントロール・デバイスの例については、例えば、コーニンクレッカ・フィリップス・エレクトロニクスから入手可能な「Ｐｒｅｓｔｉｇｏ  ＳＲＵ８０１５」という一般的なリモート・コントロール・デバイス及び「Ｐｒｅｓｔｉｇｏ  ＳＲＵ９６００／１７」という一般的なリモート・コントロール・デバイスを参照されたい。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
ユーザ・インタフェースは、第３のコントロール・インプットを含み、第３のコントロール・インプットは、情報処理システムの第１の動作モードにおいて、メニュー・オプションにカーソルを配置させた後のユーザによるメニュー・オプションの選択を確認するよう構成されている。第３のコントロール・インプットは、ユーザ・インタフェースにおいて、第１のスイッチと第２のスイッチとの間、及び第３のスイッチと第４のスイッチとの間に配置される。空間的構成は、複数の選択可能な英数字文字のうちの第３の英数字文字群の第３の配列を含む。第３の配列は、第１の方向及び第２の方向のうち、第１の配列及び第２の配列と同一の特定の方向に実質的に延びる。第３の配列は、第１の配列と第２の配列との間に配置される。第２の動作モードにおいて、情報処理システムは、ユーザが、第３のコントロール・インプットを介して、特定の第１の英数字文字と特定の第２の英数字文字との間に配置されている、第３の英数字文字群のうちの特定の英数字文字を選択することを可能にするよう構成されている。
【手続補正７】
【補正対象書類名】明細書
【補正対象項目名】００１５
【補正方法】変更
【補正の内容】
【００１５】
ユーザ・インタフェースは、情報処理システムの第１の動作モードにおいて、メニュー・オプションにカーソルを配置させた後のユーザによるメニュー・オプションの選択を確認する第３のコントロール・インプットを含む。第３のコントロール・インプットは、ユーザ・インタフェースにおいて、第１のスイッチと第２のスイッチとの間、及び第３のスイッチと第４のスイッチとの間に配置される。空間的構成は、複数の選択可能な英数字文字のうちの第３の英数字文字群の第３の配列を含む。第３の配列は、第１の方向及び第２の方向のうちの同一の特定の方向に実質的に延びる。第３の配列は、第１の配列と第２の配列との間に配置される。第１の命令は、ユーザが第３のコントロール・インプットとインタラクトしたことに応じて、特定の第１の英数字文字と特定の第２の英数字文字との間に配置されている、第３の英数字文字群のうちの特定の英数字文字を選択する第５の命令を含む。
【手続補正８】
【補正対象書類名】明細書
【補正対象項目名】００１７
【補正方法】変更
【補正の内容】
【００１７】
ユーザ・インタフェースは、情報処理システムの第１の動作モードにおいて、メニュー・オプションにカーソルを配置させた後のユーザによるメニュー・オプションの選択を確認する第３のコントロール・インプットを含む。第３のコントロール・インプットは、ユーザ・インタフェースにおいて、第１のスイッチと第２のスイッチとの間、及び第３のスイッチと第４のスイッチとの間に配置される。空間的構成は、複数の選択可能な英数字文字のうちの第３の英数字文字群の第３の配列を含む。第３の配列は、第１の方向及び第２の方向のうちの同一の特定の方向に実質的に延びる。第３の配列は、第１の配列と第２の配列との間に配置される。インタフェースは、ユーザが第３のコントロール・インプットとインタラクトしたことに応じて、特定の第１の英数字文字と特定の第２の英数字文字との間に配置されている、第３の英数字文字群のうちの特定の英数字文字を選択するよう構成されている。
【国際調査報告】
2015518225.tif 000009
2015518225.tif 000010